(57)【要約】      （修正有）【課題】天溪穴・乳根穴・乳中穴などの穴道に直接作用し、漢方医の指圧のように胸部組織の動きを促進し、細胞代謝及び乳腺細胞を活性化することにより、細胞数の増加や細胞の膨れ・引き締めにつながり、また、アルグ石と体温との作用で、アルグ石のプラズマを活性化し負イオンを放出させ、全面的に胸に浸透させ、漢方薬による磁気療法のように熱反応で胸腺細胞の再発育、分裂を起こし、胸部細胞をよりエネルギー的にし、豊胸・美乳づくりの役割を果たすアルグ石入り豊胸・がん予防健康ブラジャーを提供する。【解決手段】左カップ、右カップを備え、左カップの左側に左ベルトを設け、左ベルトと左カップとの間に左ストラップを設け、右カップの右側に右ベルトを設け、右ベルトと右カップとの間に右ストラップを設け、両カップの内面にそれぞれ円錐状突起１０、楕円形突起１２及びいくつかのアルグ石製マッサージビーズ１３を設ける。【選択図】図１
0003218410.tif 000002
【実用新案登録請求の範囲】
【請求項１】
左カップ（１）、右カップ（２）を備え、前記左カップ（１）の左側に左ベルト（８）が設けられ、前記左ベルト（８）と前記左カップ（１）との間に左ストラップ（７）が設けられ、前記右カップ（２）の右側に右ベルト（３）が設けられ、前記右ベルト（３）と前記右カップ（２）との間に右ストラップ（１４）が設けられ、前記左ストラップ（７）及び前記右ストラップ（１４）がそれぞれ外側から順に設けられる上布層（１５）、増厚層（１６）、下布層（１７）を備え、前記増厚層（１６）がいくつかの同じ厚さのモノマーアラミド繊維層より構成され、前記左カップ（１）・右カップ（２）の内面にそれぞれ円錐状突起（１０）、楕円形突起（１２）及びいくつかのアルグ石製マッサージビーズ(１３)が設けられていることを特徴とするアルグ石入り豊胸・がん予防健康ブラジャー。
【請求項２】
前記左ベルト（８）に金属コネクタ（９）が設けられ、前記右ベルト（３）に金属留め具（４）が設けられていることを特徴とする請求項１に記載のアルグ石入り豊胸・がん予防健康ブラジャー。
【請求項３】
前記左ストラップ（７）及び前記右ストラップ（１４）にそれぞれテープアジャスター（６）が設けられていることを特徴とする請求項１に記載のアルグ石入り豊胸・がん予防健康ブラジャー。
【請求項４】
前記モノマーアラミド繊維層の厚さが０．２〜１ｍｍであることを特徴とする請求項１に記載のアルグ石入り豊胸・がん予防健康ブラジャー。
【請求項５】
前記左カップ（１）・右カップ（２）の内面に収容用キャビティ（１１）が設けられていることを特徴とする請求項１に記載のアルグ石入り豊胸・がん予防健康ブラジャー。
【請求項６】
前記左ベルト（８）・右ベルト（３）にそれぞれ補強ベルト（５）が設けられていることを特徴とする請求項１に記載のアルグ石入り豊胸・がん予防健康ブラジャー。
【考案の詳細な説明】
【技術分野】
【０００１】
本考案はブラジャー分野に関し、特にアルグ石入り豊胸・がん予防健康ブラジャーに関する。
【背景技術】
【０００２】
ブラジャーは肌着の衣類として、主に着用者の乳房をサポートし、乳房のたるみを防止し、動きにおいて乳房を保護し強い揺れや摩擦による不快感を避けることに用いられるが、ブラジャーの誕生により、女性の美意識も変えた。即ち、女性は胸の曲線に注意を払い始めた。従来のブラジャーは、カップから乳房へのサポート及びグルーミングを実現するために、それぞれのカップにサポートの役割を果たしているスチールリングやゴムパッドリングを入れるのが最も一般的である。
【考案の概要】
【考案が解決しようとする課題】
【０００３】
しかしながら、上記のような従来のブラジャーは、固定や整形の効果が良いが、現代人を取り巻く速い生活リズムや大きなプレッシャーにより、このようなブラジャーを着用すると血液の循環がスムーズしなくなり、乳房の痛みや胸の圧迫感、きつく締めた痕などにもつながり、女性の乳房に比較的大きな圧力をかけ、このままでいけば、健康に悪影響を及ぼす。また、着用すると、ストラップにはストレスがかかるので、時間の経過に従って、ストラップの変形や割れが発生しやすい、耐用年数が比較的短い。
【０００４】
上記の技術的課題を解決するように、本考案は簡単な構造、合理的なデザイン、良い整形の効果、長い耐用年数を持ちながら、より健康に役立つアルグ石入り豊胸・がん予防健康ブラジャーを提供する。
【課題を解決するための手段】
【０００５】
上記の目的を達成するために、本考案に係るアルグ石入り豊胸・がん予防健康ブラジャーは、左カップ、右カップを備え、前記左カップの左側に左ベルトが設けられ、前記左ベルトと前記左カップとの間に左ストラップが設けられ、前記右カップの右側に右ベルトが設けられ、前記右ベルトと前記右カップとの間に右ストラップが設けられ、前記左ストラップ及び前記右ストラップがそれぞれ外側から順に設けられる上布層、増厚層、下布層を備え、前記増厚層がいくつかの同じ厚さのモノマーアラミド繊維層より構成され、前記左カップ・右カップの内面にそれぞれ円錐状突起、楕円形突起及びいくつかのアルグ石製マッサージビーズが設けられる。
【０００６】
好ましくは、前記左ベルトに金属コネクタが設けられ、前記右ベルトに金属留め具が設けられる。
【０００７】
好ましくは、前記左ストラップ及び前記右ストラップにそれぞれテープアジャスターが設けられる。
【０００８】
好ましくは、前記モノマーアラミド繊維層の厚さが０．２〜１ｍｍである。
【０００９】
好ましくは、前記左カップ・右カップの内面に収容用キャビティが設けられる。
【００１０】
好ましくは、前記左ベルト・右ベルトにそれぞれ補強ベルトが設けられる。
【考案の効果】
【００１１】
本考案の良好な効果として、本考案に係るアルグ石入り豊胸・がん予防健康ブラジャーは、簡単な構造及び合理的なデザインを持ち、着用すると、円錐状突起や楕円形突起で天溪穴・乳根穴・乳中穴などの穴道に直接作用し、漢方医の指圧のように胸部組織の動きを促進し、細胞代謝及び乳腺細胞を活性化することにより、細胞数の増加や細胞の膨れ・引き締めにつながり、豊胸・美乳づくりの役割を果たす。また、アルグ石と体温との作用で、アルグ石におけるプラズマを活性化し負イオンを放出させ、かつ、全面的に胸に浸透させ、漢方薬による磁気療法のように熱反応で胸腺細胞の再発育、分裂を起こし、胸部細胞をよりエネルギー的にし、豊胸・美乳づくりの役割を果たす。
【図面の簡単な説明】
【００１２】
【図１】本考案に係るアルグ石入り豊胸・がん予防健康ブラジャーの全体的構造概略図である。
【図２】本考案に係るアルグ石入り豊胸・がん予防健康ブラジャーの左ストラップまたは右ストラップの断面の構造概略図である。
【考案を実施するための形態】
【００１３】
以下、本考案の技術的解決策を理解しやすくするために、添付する図面を参照し本考案の実施形態についてさらに説明する。
図１、図２に示すように、本考案に係るアルグ石入り豊胸・がん予防健康ブラジャーは、左カップ１と右カップ２を備え、左カップ１・右カップ２の内面に収容用キャビティ１１が設けられ、左カップ１の左側に左ベルト８が設けられ、左ベルト８に金属コネクタ９が設けられ、左ベルト８と左カップ１との間に左ストラップ７が設けられ、右カップ２の右側に右ベルト３が設けられ、右ベルト３に金属留め具４が設けられ、金属コネクタ９と金属留め具４とがフィットし接続でき、左ベルト８・右ベルト３にそれぞれ補強ベルト５が設けられ、右ベルト３と右カップ２との間に右ストラップ１４が設けられ、左ストラップ７及び右ストラップ１４にそれぞれテープアジャスター６が設けられ、左ストラップ７及び右ストラップ１４がそれぞれ外側から順に設けられる上布層１５、増厚層１６、下布層１７を備え、増厚層１６がいくつかの同じ厚さのモノマーアラミド繊維層より構成され、モノマーアラミド繊維層の厚さが０．２〜１ｍｍであり、左カップ１・右カップ２の内面にそれぞれ円錐状突起１０、楕円形突起１２及びいくつかのアルグ石製マッサージビーズ１３が設けられる。
【００１４】
全体的に簡単な構造及び合理的なデザインを持ち、着用すると、円錐状突起１０や楕円形突起１２で天溪穴・乳根穴・乳中穴などの穴道に直接作用し、漢方医の指圧のように胸部組織の動きを促進し、細胞代謝及び乳腺細胞を活性化することにより、細胞数の増加や細胞の膨れ・引き締めにつながり、豊胸・美乳づくりの役割を果たす。また、アルグ石と体温との作用で、アルグ石におけるプラズマを活性化し負イオンを放出させ、かつ、全面的に胸に浸透させ、漢方薬による磁気療法のように熱反応で胸腺細胞の再発育、分裂を起こし、胸部細胞をよりエネルギー的にし、豊胸・美乳づくりの役割を果たす。
【００１５】
ゲルマニウムは白血球に対し強い刺激効果があり、体における超酸素の供給を増やすことにより、白血球の活性が大幅に向上し、癌細胞を貪食する能力が大幅に強化される。ゲルマニウムは人体の異常電位を調整する機能もあり、癌細胞が劇的に増加すると、癌細胞の電子を捕獲し、その電位を下げ、癌細胞が広がるのを防ぐ役割を果たす。また、アルグ石から放出される赤外線は、人体吸収に適している周波数と波長を持ち、遠赤外線治療装置及び超音波治療装置の働きのように体における有害物質及び重金属を吸着でき、赤外線と細胞との共振により微小血管を拡張させ、血液の循環を促進し、新陳代謝を強化し、疲労を和らげることに加え、解毒・美顔の役割も果たす。左ストラップ及び右ストラップにそれぞれ増厚層が設けられるので、効果的にストラップの変形や割れを防止し、ストラップの耐用年数を延長することができる。
【００１６】
以上は本考案について詳しく説明したが、本考案の好ましい実施形態のみであり、本考案を限定するものではない。当業者にとって、本考案の趣旨及び原則から逸脱しない場合、あらゆる変更、同等置換、改良等は、いずれも本考案の保護範囲内に入れるものとする。
【符号の説明】
【００１７】
１  左カップ
２  右カップ
３  右ベルト
４  金属留め具
５  補強ベルト
６  テープアジャスター
７  左ストラップ
８  左ベルト
９  金属コネクタ
１０  円錐状突起
１１  収容用キャビティ
１２  楕円形突起
１３  アルグ石製マッサージビーズ
１４  右ストラップ
１５  上布層
１６  増厚層
１７  下布層
【図１】
0003218410.tif 000003
【図２】
0003218410.tif 000004